(57)【要約】【課題】所定のエリアに収容された複数の現金カセットから選択的に現金カセットを持ち出す際に、管理データと整合しない状態で現金カセットが持ち出されることを防止できる現金カセット監視システムの提供。【解決手段】個別の監視用カセットＩＤ情報を有するＲＦＩＤインレット３１を複数の現金カセット２４のそれぞれに設け、複数の現金カセット２４のうち持ち出す現金カセット２４の入力用カセットＩＤ情報を管理機３６に入力すると、ゲート用ＲＦＩＤリーダ３４で検出したＲＦＩＤインレット３１の監視用カセットＩＤ情報から、管理機３６に入力された入力用カセットＩＤ情報に対応しない監視用カセットＩＤ情報を確認した場合に、ドアロック手段１５でドア１４をロック状態とする。【選択図】図１
2007328696.tif 000002
【特許請求の範囲】
【請求項１】
所定のエリアに準備され、個別の監視用カセットＩＤ情報を有するＲＦＩＤインレットがそれぞれ取り付けられた複数の現金カセットと、
前記複数の現金カセットのうち持ち出す現金カセットの入力用カセットＩＤ情報が入力される管理機と、
前記エリアの出入口近傍に設けられ前記現金カセットのＲＦＩＤインレットから監視用カセットＩＤ情報を読み取るゲート用ＲＦＩＤリーダと、
前記出入口のドアをロックするドアロック手段と、
前記ゲート用ＲＦＩＤリーダで検出した監視用カセットＩＤ情報から、前記管理機に入力された入力用カセットＩＤ情報に対応しない監視用カセットＩＤ情報を確認した場合に、前記ドアロック手段で前記ドアをロック状態とする制御手段とを有することを特徴とする現金カセット監視システム。
【請求項２】
警報を発生する警報手段を有し、
前記制御手段は、前記ゲート用ＲＦＩＤリーダで検出した監視用カセットＩＤ情報から、前記管理機に入力された入力用カセットＩＤ情報に対応しない監視用カセットＩＤ情報を確認した場合に、前記警報手段に警報を発生させることを特徴とする請求項１記載の現金カセット監視システム。
【請求項３】
前記管理機は、認証手段を有しており、該認証手段で適正な認証が行われた場合に限り、持ち出す前記現金カセットの入力用カセットＩＤ情報の入力を許可することを特徴とする請求項１または２記載の現金カセット監視システム。
【請求項４】
前記管理機は、持ち出される前記現金カセットの監視用カセットＩＤ情報を前記ＲＦＩＤインレットから読み取ることで入力用カセットＩＤ情報として入力する登録用ＲＦＩＤリーダを有することを特徴とする請求項１乃至３のいずれか一項記載の現金カセット監視システム。
【請求項５】
前記ゲート用ＲＦＩＤリーダは、持ち出し作業者に付帯のＲＦＩＤインレットから作業者ＩＤ情報を読み取り可能であり、
前記ゲート用ＲＦＩＤリーダで監視用カセットＩＤ情報を読み取った場合に、該監視用カセットＩＤ情報に、該監視用カセットＩＤ情報の読み取りに関連して読み取った作業者ＩＤ情報を関連付けして記憶する記憶手段を有することを特徴とする請求項１乃至４のいずれか一項記載の現金カセット監視システム。
【請求項６】
前記ゲート用ＲＦＩＤリーダは、持ち出し作業者に付帯のＲＦＩＤインレットから作業者ＩＤ情報を読み取り可能であり、
前記制御手段は、前記ゲート用ＲＦＩＤリーダで監視用カセットＩＤ情報を読み取った場合に、該監視用カセットＩＤ情報の読み取りに関連して前記ゲート用ＲＦＩＤリーダで作業者ＩＤ情報を読み取れない場合に、前記ドアロック手段で前記ドアをロック状態とすることを特徴とする請求項１乃至５のいずれか一項記載の現金カセット監視システム。
【請求項７】
前記登録用ＲＦＩＤリーダは、持ち出し作業者に付帯のＲＦＩＤインレットから作業者ＩＤ情報を読み取り可能であり、
前記登録用ＲＦＩＤリーダで読み取られた監視用カセットＩＤ情報と、該監視用カセットＩＤ情報の読み取りに関連して前記登録用ＲＦＩＤリーダで読み取られた作業者ＩＤ情報とを関連付けして事前登録する記憶手段を有することを特徴とする請求項４記載の現金カセット監視システム。
【請求項８】
前記ゲート用ＲＦＩＤリーダは、持ち出し作業者に付帯のＲＦＩＤインレットから作業者ＩＤ情報を読み取り可能であり、
前記制御手段は、前記ゲート用ＲＦＩＤリーダで監視用カセットＩＤ情報を読み取った場合に、該監視用カセットＩＤ情報と、該監視用カセットＩＤ情報の読み取りに関連して前記ゲート用ＲＦＩＤリーダで読み取った作業者ＩＤ情報との組み合わせが前記事前登録の内容と対応しない場合に、前記ドアロック手段で前記ドアをロック状態とすることを特徴とする請求項７記載の現金カセット監視システム。
【請求項９】
警報を発生する警報手段を有し、
前記制御手段は、前記ゲート用ＲＦＩＤリーダで監視用カセットＩＤ情報を読み取った場合に、該監視用カセットＩＤ情報と、該監視用カセットＩＤ情報の読み取りに関連して前記ゲート用ＲＦＩＤリーダで読み取った作業者ＩＤ情報との組み合わせが前記事前登録の内容と対応しない場合に、前記警報手段に警報を発生させることを特徴とする請求項８記載の現金カセット監視システム。
【請求項１０】
前記ゲート用ＲＦＩＤリーダが、前記出入口への入出方向に沿って複数配置されていることを特徴とする請求項１乃至９のいずれか一項記載の現金カセット監視システム。
【発明の詳細な説明】
【技術分野】
【０００１】
本発明は、現金を現金カセットに入れて運搬する場合に用いて好適な現金カセット監視システムに関する。
【背景技術】
【０００２】
例えば、金融機関の店舗においては、複数台設置された窓口用の各現金処理機に窓口業務開始前に所定の現金を装填する作業を行うことになり、窓口業務終了後には各現金処理機の現金を回収する作業を行うことになる。このような作業を安全かつ簡単に行うために、現金処理機に対し着脱可能であって、装填時に自動的に現金処理機に対し現金を出し入れ可能となり、取り外し時には現金の取り出しを規制する現金カセットを用いる技術がある（例えば特許文献１参照）。
【特許文献１】特公平２−１５４５４号公報
【発明の開示】
【発明が解決しようとする課題】
【０００３】
現金処理機に現金カセットを装填する場合に、予め用意された現金カセットを金庫室から持ち出し、対応する現金処理機に装填することになるが、例えば窓口の種類によっては、事前に準備する現金カセット内の現金量が異なることがあるため、持ち出し管理を行う必要がある。このような持ち出し管理を行う場合に、管理データと実際に持ち出す現金カセットとが整合していないと、管理上問題が発生してしまう。
【０００４】
したがって、本発明は、所定のエリアに準備された複数の現金カセットから選択的に現金カセットを持ち出す際に、管理データと整合しない状態で現金カセットが持ち出されることを防止できる現金カセット監視システムの提供を目的とする。
【課題を解決するための手段】
【０００５】
上記目的を達成するために、請求項１に係る発明は、所定のエリアに準備され、個別の監視用カセットＩＤ情報を有するＲＦＩＤインレットがそれぞれ取り付けられた複数の現金カセットと、前記複数の現金カセットのうち持ち出す現金カセットの入力用カセットＩＤ情報が入力される管理機と、前記エリアの出入口近傍に設けられ前記現金カセットのＲＦＩＤインレットから監視用カセットＩＤ情報を読み取るゲート用ＲＦＩＤリーダと、前記出入口のドアをロックするドアロック手段と、前記ゲート用ＲＦＩＤリーダで検出した監視用カセットＩＤ情報から、前記管理機に入力された入力用カセットＩＤ情報に対応しない監視用カセットＩＤ情報を確認した場合に、前記ドアロック手段で前記ドアをロック状態とする制御手段とを有することを特徴としている。
【０００６】
請求項２に係る発明は、請求項１に係る発明において、警報を発生する警報手段を有し、前記制御手段は、前記ゲート用ＲＦＩＤリーダで検出した監視用カセットＩＤ情報から、前記管理機に入力された入力用カセットＩＤ情報に対応しない監視用カセットＩＤ情報を確認した場合に、前記警報手段に警報を発生させることを特徴としている。
【０００７】
請求項３に係る発明は、請求項１または２に係る発明において、前記管理機は、認証手段を有しており、該認証手段で適正な認証が行われた場合に限り、持ち出す前記現金カセットの入力用カセットＩＤ情報の入力を許可することを特徴としている。
【０００８】
請求項４に係る発明は、請求項１乃至３のいずれか一項に係る発明において、前記管理機は、持ち出される前記現金カセットの監視用カセットＩＤ情報を前記ＲＦＩＤインレットから読み取ることで入力用カセットＩＤ情報として入力する登録用ＲＦＩＤリーダを有することを特徴としている。
【０００９】
請求項５に係る発明は、請求項１乃至４のいずれか一項に係る発明において、前記ゲート用ＲＦＩＤリーダは、持ち出し作業者に付帯のＲＦＩＤインレットから作業者ＩＤ情報を読み取り可能であり、前記ゲート用ＲＦＩＤリーダで監視用カセットＩＤ情報を読み取った場合に、該監視用カセットＩＤ情報に、該監視用カセットＩＤ情報の読み取りに関連して読み取った作業者ＩＤ情報を関連付けして記憶する記憶手段を有することを特徴としている。
【００１０】
請求項６に係る発明は、請求項１乃至５のいずれか一項に係る発明において、前記ゲート用ＲＦＩＤリーダは、持ち出し作業者に付帯のＲＦＩＤインレットから作業者ＩＤ情報を読み取り可能であり、前記制御手段は、前記ゲート用ＲＦＩＤリーダで監視用カセットＩＤ情報を読み取った場合に、該監視用カセットＩＤ情報の読み取りに関連して前記ゲート用ＲＦＩＤリーダで作業者ＩＤ情報を読み取れない場合に、前記ドアロック手段で前記ドアをロック状態とすることを特徴としている。
【００１１】
請求項７に係る発明は、請求項４に係る発明において、前記登録用ＲＦＩＤリーダは、持ち出し作業者に付帯のＲＦＩＤインレットから作業者ＩＤ情報を読み取り可能であり、前記登録用ＲＦＩＤリーダで読み取られた監視用カセットＩＤ情報と、該監視用カセットＩＤ情報の読み取りに関連して前記登録用ＲＦＩＤリーダで読み取られた作業者ＩＤ情報とを関連付けして事前登録する記憶手段を有することを特徴としている。
【００１２】
請求項８に係る発明は、請求項７に係る発明において、前記ゲート用ＲＦＩＤリーダは、持ち出し作業者に付帯のＲＦＩＤインレットから作業者ＩＤ情報を読み取り可能であり、前記制御手段は、前記ゲート用ＲＦＩＤリーダで監視用カセットＩＤ情報を読み取った場合に、該監視用カセットＩＤ情報と、該監視用カセットＩＤ情報の読み取りに関連して前記ゲート用ＲＦＩＤリーダで読み取った作業者ＩＤ情報との組み合わせが前記事前登録の内容と対応しない場合に、前記ドアロック手段で前記ドアをロック状態とすることを特徴としている。
【００１３】
請求項９に係る発明は、請求項８に係る発明において、警報を発生する警報手段を有し、前記制御手段は、前記ゲート用ＲＦＩＤリーダで監視用カセットＩＤ情報を読み取った場合に、該監視用カセットＩＤ情報と、該監視用カセットＩＤ情報の読み取りに関連して前記ゲート用ＲＦＩＤリーダで読み取った作業者ＩＤ情報との組み合わせが前記事前登録の内容と対応しない場合に、前記警報手段に警報を発生させることを特徴としている。
【００１４】
請求項１０に係る発明は、請求項１乃至９のいずれか一項に係る発明において、前記ゲート用ＲＦＩＤリーダが、前記出入口への入出方向に沿って複数配置されていることを特徴としている。
【発明の効果】
【００１５】
請求項１に係る発明によれば、所定のエリアに準備された複数の現金カセットの中から所定の現金カセットを持ち出すに当たって、持ち出すべき所定の現金カセットの入力用カセットＩＤ情報を管理機に入力する。そして、現金カセットを持ち出そうとゲート用ＲＦＩＤリーダに近づくと、持ち出そうとした現金カセットの監視用カセットＩＤ情報をゲート用ＲＦＩＤリーダが読み取る。制御手段は、ゲート用ＲＦＩＤリーダで検出した監視用カセットＩＤ情報から、管理機に入力された入力用カセットＩＤ情報に対応しない監視用カセットＩＤ情報を確認した場合に、ドアロック手段でドアをロック状態とする。このように出入口のドアをロックして、管理機に入力された入力用カセットＩＤ情報に対応する監視用カセットＩＤ情報を有する現金カセットではない現金カセットの持ち出しを規制することになる。したがって、複数の現金カセットから選択的に現金カセットを持ち出す際に、入力された管理データと整合しない状態で現金カセットが持ち出されることを防止できる。
【００１６】
請求項２に係る発明によれば、制御手段は、ゲート用ＲＦＩＤリーダで検出した監視用カセットＩＤ情報から、管理機に入力された入力用カセットＩＤ情報に対応しない監視用カセットＩＤ情報を確認した場合に、警報手段に警報を発生させるため、入力された管理データと整合しない状態で現金カセットを持ち出そうとしていることを警報でも知らせることができる。
【００１７】
請求項３に係る発明によれば、管理機は認証手段で適正な認証が行われた場合に限り、持ち出す現金カセットの入力用カセットＩＤ情報の入力を許可するため、認証手段で適正な認証が行われない場合にはいずれの現金カセットも持ち出し不可となる。これにより、例えば、持ち出し作業者よりも上位の管理者の認証を義務づければ、現金カセットの持ち出しの管理者によるチェックが可能となる。
【００１８】
請求項４に係る発明によれば、管理機の登録用ＲＦＩＤリーダが、持ち出される現金カセットの監視用カセットＩＤ情報をＲＦＩＤインレットから読み取ることで入力用カセットＩＤ情報として入力するため、入力作業を容易化できる。
【００１９】
請求項５に係る発明によれば、ゲート用ＲＦＩＤリーダで監視用カセットＩＤ情報を読み取った場合に、記憶手段が、この監視用カセットＩＤ情報に、監視用カセットＩＤ情報の読み取りに関連して読み取った作業者ＩＤ情報を関連付けして記憶するため、持ち出し作業者を自動的に記憶できる。
【００２０】
請求項６に係る発明によれば、ゲート用ＲＦＩＤリーダで監視用カセットＩＤ情報を読み取った場合に、制御手段が、この監視用カセットＩＤ情報の読み取りに関連してゲート用ＲＦＩＤリーダで作業者ＩＤ情報を読み取れない場合に、ドアロック手段でドアをロック状態とするため、持ち出し作業者が認識できない場合の現金カセットの持ち出しを規制できる。
【００２１】
請求項７に係る発明によれば、記憶手段が、登録用ＲＦＩＤリーダで読み取られた監視用カセットＩＤ情報と、監視用カセットＩＤ情報の読み取りに関連して登録用ＲＦＩＤリーダで読み取られた作業者ＩＤ情報とを関連付けして事前登録するため、持ち出し作業者の入力作業を容易化できる。
【００２２】
請求項８に係る発明によれば、ゲート用ＲＦＩＤリーダで監視用カセットＩＤ情報を読み取った場合に、この監視用カセットＩＤ情報と、この監視用カセットＩＤ情報の読み取りに関連してゲート用ＲＦＩＤリーダで読み取った作業者ＩＤ情報との組み合わせが事前登録の内容と対応しない場合に、制御手段が、ドアロック手段でドアをロック状態とするため、事前登録の内容と対応しない場合の持ち出しを規制できる。
【００２３】
請求項９に係る発明によれば、ゲート用ＲＦＩＤリーダで監視用カセットＩＤ情報を読み取った場合に、この監視用カセットＩＤ情報と、この監視用カセットＩＤ情報の読み取りに関連してゲート用ＲＦＩＤリーダで読み取った作業者ＩＤ情報との組み合わせが事前登録の内容と対応しない場合に、制御手段が、警報手段に警報を発生させるため、警報でも知らせることができる。
【００２４】
請求項１０に係る発明によれば、ゲート用ＲＦＩＤリーダが、出入口への入出方向に沿って複数配置されているため、現金カセットの持ち出しであるか持ち込みであるか、移動方向がわかり、例えば持ち出し時にのみ持ち出しの監視制御を行うことができる。
【発明を実施するための最良の形態】
【００２５】
本発明の一実施形態の現金カセット監視システムを図面を参照して以下に説明する。
図１は、金融機関の店舗における出納室（所定のエリア）１１を示すものである。この出納室１１は、四方が側壁１２ａ〜１２ｄで囲まれて構成されており、所定の側壁１２ａのみに一カ所の出入口１３が形成されていて、この出入口１３には出入口１３を開閉するドア１４が取り付けられている。よって、出納室１１は一カ所設けられたドア１４が閉じられた状態では人の出入りが不可とされ、このドア１４が開かれた状態でのみ人の出入りが可能とされている。このドア１４には、これを閉状態でロックする電磁駆動式のドアロック装置（ドアロック手段）１５が設けられている。
【００２６】
出納室１１内には、一部の側壁１２ｂ，１２ｃと仕切壁１８ａ，１８ｂとで金庫室１９が形成されている。金庫室１９にも所定の仕切壁１８ａのみに一カ所の出入口２０が形成されていて、この出入口２０には出入口２０を開閉するドア２１が取り付けられている。
【００２７】
ここで、図１は、窓口業務開始前の状態を示しており、この時点では金庫室１９内に、予め準備された複数の金庫型の現金カセット２４が収容されている。これらの現金カセット２４は、この金融機関の店舗に複数台設置された窓口用の各現金処理機２５に窓口業務開始前に所定の現金を装填するために準備されたもので、現金カセット２４ごと対応する現金処理機２５のカセット装填部２６に装填されることになる。また、窓口業務終了後には各現金処理機２５の現金を現金カセット２４ごとカセット装填部２６から取り外して出納室１１に回収することになる。
【００２８】
出納室１１内における金庫室１９の外側範囲には、窓口業務開始後に回収してきた各現金カセット２４の現金を精算するための内部処理用の現金処理機２８が複数設置されている。
【００２９】
ここで、各現金カセット２４は、店舗内のすべての窓口用の現金処理機２５およびすべての内部処理用の現金処理機２８のカセット装填部２９に対し着脱可能であるものの、装填される窓口用の現金処理機２５は予め一対一で対応関係が決められている。各現金カセット２４は、装填時に自動的に現金処理機２５，２８に対し現金を出し入れ可能となり、取り外し時には現金の取り出しを規制することになって、さらに、取り外した状態でも別途のキーで現金の取り出しが可能となる構造になっている。すべての現金カセット２４には、他の現金カセット２４と識別するための個別の監視用カセットＩＤ情報（具体的にはＲＦＩＤ番号）を有するＲＦＩＤ（Radio Frequency Identification）インレット３１がそれぞれ一つずつ取り付けられている。ＲＦＩＤインレット３１は、図２に示すように、監視用カセットＩＤ情報を記憶するＩＣチップ３１ａと、所定の電波を受信することで起電力を発生させてＩＣチップ３１ａを駆動するとともに、駆動したＩＣチップ３１ａからの監視用カセットＩＤ情報を無線で送信するコイルからなるアンテナ３１ｂとを備えている。
【００３０】
図１に示すように、出納室１１の出入口１３の近傍には、他の仕切壁１８ｃと側壁１２ｂとでゲート３３が形成されており、出納室１１に入室する人は出入口１３からこのゲート３３を必ず通ることになり、出納室１１から退室する人はこのゲート３３を必ず通って出入口１３から出ることになる。このゲート３３には、ゲート３３を通るＲＦＩＤインレット３１を所定の電波で駆動してそのＩＣチップ３１ａに記憶されたＩＤ情報を無線で読み取るゲート用ＲＦＩＤリーダ３４が設けられている。ここでは、ゲート用ＲＦＩＤリーダ３４が、出入口１３に対する人の入出方向に沿って間隔をあけて複数配置されている。
【００３１】
そして、出納室１１におけるこのゲート３３よりも室内側にパーソナルコンピュータからなる管理機３６が設置されている。管理機３６は、図３に示すように、持ち出し作業者Ｗよりも上位の管理者Ｍによる操作入力が行われるキーボード３７ａおよびカードリーダ３７ｂ（認証手段）を含む操作部３７と、管理者Ｍに対し表示を行う表示部３８と、管理情報等を記憶する記憶部（記憶手段）３９と、これらを制御する制御部（制御手段）４０とを有している。この管理機３６の制御部４０には、上記したドアロック装置１５およびゲート用ＲＦＩＤリーダ３４が接続されるとともに、警報を発生する警報装置（警報手段）４１と、ＲＦＩＤインレット３１を所定の電波で駆動してそのＩＣチップ３１ａに記憶されたデータを無線で読み取る登録用ＲＦＩＤリーダ４２とが接続されている。
【００３２】
ここで、管理機３６の記憶部３９には、各ＲＦＩＤインレット３１に記憶された個別の監視用カセットＩＤ情報（具体的にはＲＦＩＤ番号）と、監視用カセットＩＤ情報のそれぞれに一対一で対応する現金カセット２４の個別の入力用カセットＩＤ情報（具体的にはカセット識別番号）との対応関係が記憶されている。また、管理機３６の記憶部３９には、窓口用の各現金処理機２５の窓口業務開始前に装填すべき現金量（金種および各金種毎の枚数）がそれぞれ個別に設定されて一対一で対応する監視用カセットＩＤ情報と関連付けて記憶されている。
【００３３】
管理機３６には、現金カセット２４を持ち出す際に、管理者Ｍが複数の現金カセット２４のうち持ち出す現金カセット２４の入力用カセットＩＤ情報（具体的にはカセット識別番号）を操作部３７を介して入力することになり、管理機３６の制御部４０は、その後、持ち出し作業者Ｗによって現金カセット２４が出納室１１から持ち出される際に、ゲート用ＲＦＩＤリーダ３４で現金カセット２４に設けられたＲＦＩＤインレット３１の監視用カセットＩＤ情報を検出し、入力された入力用カセットＩＤ情報に一対一で対応する監視用カセットＩＤ情報以外の監視用カセットＩＤ情報を確認した場合に、警報装置４１で警報を発生させるとともに、ドアロック装置１５でドア１４をロックして持ち出しを規制する。ここで、出入口１３への入出方向に沿って複数配置されたゲート用ＲＦＩＤリーダ３４による同一の監視用カセットＩＤ情報の検出のタイミングのずれによって、出入口１３側から順に検出が行われた場合には、制御部４０が現金カセット２４の持ち込みであると判断する。他方、出入口１３に対し反対側から順に検出が行われた場合には、制御部４０が現金カセット２４の持ち出しであると判断する。持ち込みであると判断した場合には持ち出し時の制御はキャンセルする。
【００３４】
前日の窓口業務終了後に窓口用の各現金処理機２５から回収されてきた現金カセット２４は、出納室１１内の内部処理用の現金処理機２８のカセット装填部２９に装填されて内部の現金が精算される。このとき、現金処理機２８のカセット装填部２９には、装填された現金カセット２４のＲＦＩＤインレット３１を所定の電波で駆動してそのＩＣチップ３１ａに記憶されたデータを無線で読み取る機内ＲＦＩＤリーダ４５が設けられており、現金処理機２８は、この機内ＲＦＩＤリーダ４５で、カセット装填部２９に装填された現金カセット２４のＲＦＩＤインレット３１から個別の監視用カセットＩＤ情報を読み取り、精算した現金量をこの監視用カセットＩＤ情報と関連付けて管理機３６の記憶部３９に記憶させる。
【００３５】
また、内部処理用の現金処理機２８では、上記のようにして現金の精算が行われた現金カセット２４に対して、管理機３６の記憶部３９から、この現金カセット２４の監視用カセットＩＤ情報に関連付けして記憶された窓口業務開始前に装填すべき現金量を読み出し、この現金量となるように現金を装填する。そして、このように窓口業務開始前に装填すべき現金量の現金が装填された現金カセット２４が内部処理用の現金処理機２８から取り出されて金庫室１９に収容される。このようにして、装填すべき現金量の現金がそれぞれ装填された複数の現金カセット２４が金庫室１９に収容される。
【００３６】
そして、翌営業日に、まず管理者Ｍが出納室１１に入室し、管理機３６をそのシステムプログラムを立ち上げて待機状態とする。持ち出し作業者Ｗが出納室１１に入室し、現金カセット２４の持ち出しを管理者Ｍに要求すると、管理者Ｍは、待機状態にある管理機３６に対し、管理者Ｍのみが所持する管理者ＩＤカード４７を操作部３７のカードリーダ３７ｂに読み取らせる。管理機３６は、カードリーダ３７ｂで読み取った管理者ＩＤ情報（具体的には管理者識別番号）から管理者Ｍの適正な認証が行われた場合に限り、その後、出納室１１から持ち出す現金カセット２４の入力用カセットＩＤ情報の入力を許可する状態となる。つまり、記憶部３９には適正な管理者Ｍの管理者ＩＤ情報のリストが記憶されており、制御部４０は、カードリーダ３７ｂで読み取った管理者ＩＤ情報に対応する管理者ＩＤ情報が記憶部３９のリストに載っていれば管理者Ｍが適正であると認証して入力用カセットＩＤ情報の入力を許可する一方、リストに載っていなければ管理者Ｍが不適正と判断して入力用カセットＩＤ情報の入力を許可せずに、警報装置４１にアラームを発生させる。
【００３７】
次に、管理者Ｍが管理機３６の操作部３７に、持ち出す現金カセット２４の入力用カセットＩＤ情報を入力する。すると、管理機３６の制御部４０は、入力された入力用カセットＩＤ情報が持ち出し可であるか否かを判定する。つまり、管理機３６の記憶部３９は、金庫室１９に収容されているすべての現金カセット２４の監視用カセットＩＤ情報を記憶しており、しかも今回のシステム立ち上げ後に持ち出されたか否かも記憶しているため、入力された入力用カセットＩＤ情報が、記憶された監視用カセットＩＤ情報のうち持ち出されていない一つの現金カセット２４の監視用カセットＩＤに対応している場合に限り、制御部４０は入力された入力用カセットＩＤ情報が持ち出し可であると判定する。入力された入力用カセットＩＤ情報が持ち出し可でない場合は、その旨の表示を表示部３８に表示させるとともに警報装置４１に警報を発生させて誤入力の訂正を促す。
【００３８】
入力された入力用カセットＩＤ情報が持ち出し可であると、制御部４０は、その旨の表示を表示部３８に表示させる。その後、持ち出し作業者Ｗは、金庫室１９に入って、対応する入力用カセットＩＤ情報（カセット識別番号）が記載された現金カセット２４を持ち出すことになる。そして、持ち出し作業者Ｗが現金カセット２４を持って出入口１３近傍に設けられたゲート３３を通ると、ゲート３３の複数のゲート用ＲＦＩＤリーダ３４が通過した現金カセット２４のＲＦＩＤインレット３１から監視用カセットＩＤ情報を読み取って管理機３６に出力することになり、管理機３６では、この読み取った監視用カセットＩＤ情報が、出納室１１からの持ち出しであって、今回のシステム立ち上げ後に入力され持ち出し可であると判断された現金カセット２４の入力用カセットＩＤ情報に対応していて未だ持ち出されていない現金カセット２４の監視用カセットＩＤ情報である場合には、制御部４０は、持ち出しが適正であると判定して、この監視用カセットＩＤ情報を有する現金カセット２４が持ち出されたことを記憶部３９に記憶するとともに管理機３６を上記した待機状態に戻す。このとき、管理機３６は、ドアロック装置１５を作動させることはなく、ドア１４はロック解除状態とされ、持ち出し作業者Ｗがドア１４を開けて退室する。なお、持ち出し作業者Ｗが一度に複数台の現金カセット２４を持ち出す場合には、管理者Ｍは、複数台の現金カセット２４の入力用カセットＩＤ情報を一連の入力操作で管理機３６に入力することになり、各入力用カセットＩＤ情報について上記と同様に管理を行う。そして、入力された一連の入力用カセットＩＤ情報に対応する監視用カセットＩＤ情報がすべてゲート用ＲＦＩＤリーダ３４で読み取られると、管理機３６を上記した待機状態に戻す。
【００３９】
他方、上記以外の持ち出しの場合、つまり、持ち出し可であると判断された現金カセット２４の入力用カセットＩＤ情報であって未だ持ち出されていない現金カセット２４の入力用カセットＩＤ情報に対し、対応しない監視用カセットＩＤ情報をゲート用ＲＦＩＤリーダ３４がＲＦＩＤインレット３１から読み取った場合には、制御部４０が、持ち出しが不適であると判断して、警報装置４１に警報を発生させるとともに、ドアロック装置１５を作動させることになり、ドア１４はロック状態とされ、持ち出し作業者Ｗのドア１４を開けての退室を規制する。
【００４０】
具体的には、今回のシステム立ち上げ後にカードリーダ３７ｂおよび管理者ＩＤカード４７で管理者Ｍの適正な認証が行われず入力用カセットＩＤ情報の入力が許可されていない状態でいずれかの現金カセット２４のＲＦＩＤインレット３１から監視用カセットＩＤ情報をゲート用ＲＦＩＤリーダ３４が読み取った場合と、今回のシステム立ち上げ後にカードリーダ３７ｂおよび管理者ＩＤカード４７で管理者Ｍの適正な認証が行われたものの、持ち出し可な現金カセット２４の入力用カセットＩＤ情報が管理機３６に入力されていない状態でいずれかの現金カセット２４のＲＦＩＤインレット３１から監視用カセットＩＤ情報をゲート用ＲＦＩＤリーダ３４が読み取った場合と、今回のシステム立ち上げ後にカードリーダ３７ｂおよび管理者ＩＤカード４７で管理者Ｍの適正な認証が行われ、持ち出し可な現金カセット２４の入力用カセットＩＤ情報が管理機３６に入力された状態で、この入力用カセットＩＤ情報とは一対一で対応しない監視用カセットＩＤ情報をゲート用ＲＦＩＤリーダ３４がＲＦＩＤインレット３１から読み取った場合とについては、警報を発生させるとともにドア１４をロックする。
【００４１】
ここで、入力された入力用カセットＩＤ情報に対応しない監視用カセットＩＤ情報をゲート用ＲＦＩＤリーダ３４がＲＦＩＤインレット３１から読み取る場合としては、操作部３７に入力された入力用カセットＩＤ情報が、記憶部３９に記憶された監視用カセットＩＤ情報のうち持ち出されていない一つに対応していて持ち出し可と判断してしまったものの入力番号違いである場合に、正しい現金カセット２４の監視用カセットＩＤ情報をＲＦＩＤインレット３１から読み取る場合と、操作部３７に入力された入力用カセットＩＤ情報が、記憶部３９に記憶された監視用カセットＩＤ情報のうち持ち出されていない一つに対応していて持ち出し可と判断したものの間違った現金カセット２４の監視用カセットＩＤ情報をＲＦＩＤインレット３１から読み取る場合とがある。
【００４２】
以上に述べた本実施形態の現金カセット監視システムによれば、所定のエリアである出納室１１内に収容された複数の現金カセット２４の中から所定の現金カセット２４を持ち出すに当たって、持ち出すべき所定の現金カセット２４の入力用カセットＩＤ情報を管理機３６に入力する。そして、現金カセット２４を持ち出そうとゲート用ＲＦＩＤリーダ３４に近づくと、ゲート用ＲＦＩＤリーダ３４が、持ち出そうとした現金カセット２４の監視用カセットＩＤ情報をＲＦＩＤインレット３１から読み取る。管理機３６の制御部４０は、ゲート用ＲＦＩＤリーダ３４で検出したＲＦＩＤインレット３１の監視用カセットＩＤ情報から、事前に管理機３６の操作部３７に入力された入力用カセットＩＤ情報に対応しない監視用カセットＩＤ情報を確認した場合に、ドアロック装置１５でドア１４をロック状態とする一方、ゲート用ＲＦＩＤリーダ３４で検出した監視用カセットＩＤ情報から、事前に管理機３６の操作部３７に入力された入力用カセットＩＤ情報に対応する監視用カセットＩＤ情報を確認した場合に、ドアロック装置１５でドア１４をロック解除状態とする。このように出入口１３のドア１４をロックして、操作部３７に入力された入力用カセットＩＤ情報に対応する監視用カセットＩＤ情報を有する現金カセット２４以外の現金カセット２４の持ち出しを規制することになる。したがって、複数の現金カセット２４から選択的に現金カセット２４を持ち出す際に、入力された管理データと整合しない状態で現金カセット２４が持ち出されることを防止できる。
【００４３】
また、管理機３６の制御部４０は、ゲート用ＲＦＩＤリーダ３４で検出したＲＦＩＤインレット３１の監視用カセットＩＤ情報から、操作部３７に入力された入力用カセットＩＤ情報に対応しない監視用カセットＩＤ情報を確認した場合に、警報装置４１に警報を発生させるため、入力された管理データと整合しない状態で現金カセット２４を持ち出そうとしていることを、警報でも知らせることができる。
【００４４】
加えて、管理機３６はカードリーダ３７ｂで適正な認証が行われた場合に限り、持ち出す現金カセット２４の入力用カセットＩＤ情報の入力を許可するため、カードリーダ３７ｂで適正な認証が行われない場合にはいずれの現金カセット２４も持ち出し不可となる。これにより、持ち出し作業者Ｗよりも上位の管理者Ｍの管理者ＩＤカード４７のカードリーダ３７ｂによる認証を義務づけることで、現金カセット２４の持ち出しの管理者Ｍによるチェックが可能となる。
【００４５】
さらに、ゲート用ＲＦＩＤリーダ３４が、出入口１３への入出方向に沿って複数配置されているため、現金カセット２４の持ち出しであるか持ち込みであるか、移動方向がわかり、持ち出し時にのみ上記した持ち出しの監視制御を行うことができる。
【００４６】
なお、管理機３６は、登録用ＲＦＩＤリーダ４２を有しているため、操作部３７への持ち出す現金カセット２４の入力用カセットＩＤ情報の入力にかえて、この登録用ＲＦＩＤリーダ４２で現金カセット２４に設けられたＲＦＩＤインレット３１から監視用カセットＩＤ情報を読み取ってこれを入力用カセットＩＤ情報として制御部４０に入力しても良い。また、この場合も、カードリーダ３７ｂおよび管理者ＩＤカード４７で管理者Ｍの認証を前提として入力を許可するようにできる。
【００４７】
つまり、管理者Ｍが、持ち出し作業者Ｗが金庫室１９から持ってきた現金カセット２４のＲＦＩＤインレット３１から監視用カセットＩＤ情報を登録用ＲＦＩＤリーダ４２で読み取ることで入力し、その後、持ち出し作業者Ｗが現金カセット２４を持って出入口１３近傍に設けられたゲート３３を通ると、ゲート３３のゲート用ＲＦＩＤリーダ３４がこの現金カセット２４のＲＦＩＤインレット３１から監視用カセットＩＤ情報を読み取って管理機３６に出力することになり、管理機３６では、この読み取った監視用カセットＩＤ情報が、今回のシステム立ち上げ後に登録用ＲＦＩＤリーダ４２で読み取った監視用カセットＩＤ情報と一致する場合には、持ち出しが適正であると判断して、この監視用カセットＩＤ情報を有する現金カセット２４が持ち出されたことを記憶部３９に記憶する。このとき、管理機３６は、ドアロック装置１５を作動させることはなく、ドア１４はロック解除状態とされ、持ち出し作業者Ｗがドア１４を開けて退室する。
【００４８】
他方、上記以外の持ち出しの場合、つまり、登録用ＲＦＩＤリーダ４２で読み取った現金カセット２４の監視用カセットＩＤ情報に対応しない監視用カセットＩＤ情報をゲート用ＲＦＩＤリーダ３４がＲＦＩＤインレット３１から読み取った場合には、制御部４０が、警報装置４１に警報を発生させるとともに、ドアロック装置１５を作動させることになり、ドア１４はロック状態とされ、持ち出し作業者Ｗのドア１４を開けての退室が規制される。
【００４９】
具体的には、今回のシステム立ち上げ後にカードリーダ３７ｂおよび管理者ＩＤカード４７で管理者Ｍの適正な認証が行われず監視用カセットＩＤ情報の入力が許可されていない状態で現金カセット２４の監視用カセットＩＤ情報をゲート用ＲＦＩＤリーダ３４が読み取った場合と、今回のシステム立ち上げ後にカードリーダ３７ｂおよび管理者ＩＤカード４７で管理者Ｍの適正な認証が行われた後に登録用ＲＦＩＤリーダ４２で監視用カセットＩＤ情報が読み取り入力されていない状態でいずれかの現金カセット２４のＲＦＩＤインレット３１の監視用カセットＩＤ情報をゲート用ＲＦＩＤリーダ３４が読み取った場合と、今回のシステム立ち上げ後にカードリーダ３７ｂおよび管理者ＩＤカード４７で管理者Ｍの適正な認証が行われた後に登録用ＲＦＩＤリーダ４２でＲＦＩＤインレット３１の監視用カセットＩＤ情報が読み取り入力された状態で、入力された監視用カセットＩＤ情報に対応する監視用カセットＩＤ情報であって未だ持ち出されていない現金カセット２４の監視用カセットＩＤ情報に対し、異なる監視用カセットＩＤ情報をゲート用ＲＦＩＤリーダ３４がＲＦＩＤインレット３１から読み取った場合とについては、持ち出しが不適であると判断して、警報を発生させるとともにドア１４をロックする。
【００５０】
このように構成すれば、管理機３６の登録用ＲＦＩＤリーダ４２が、持ち出される現金カセット２４の監視用カセットＩＤ情報をＲＦＩＤインレット３１から読み取ることで、この監視用カセットＩＤ情報を入力用カセットＩＤ情報として管理機３６に入力できるため、入力作業を容易化できる。
【００５１】
また、以上において、持ち出し作業者Ｗを他の持ち出し作業者Ｗと識別する作業者ＩＤ情報（具体的には作業者識別番号）を記憶したＲＦＩＤインレット５０を設けた作業者ＩＤカード５１を持ち出し作業者Ｗに付帯させる場合に、現金カセット２４の持ち出し時にゲート用ＲＦＩＤリーダ３４でゲート３３を通る現金カセット２４のＲＦＩＤインレット３１の図示略のＩＣチップから監視用カセットＩＤ情報を読み取って持ち出しが適正であると判断したときに、ゲート３３を通る持ち出し作業者ＷのＲＦＩＤインレット５０の図示略のＩＣチップから作業者ＩＤ情報をも読み取るようにして、管理機３６の制御部４０が、監視用カセットＩＤ情報に、その読み取りに関連して読み取った作業者ＩＤ情報を関連付けして記憶部３９に記憶するようにしても良い。この場合、制御部４０は、例えばゲート用ＲＦＩＤリーダ３４での監視用カセットＩＤ情報の読み取り時刻と、これと所定の時間差内で初めてゲート用ＲＦＩＤリーダ３４で読み取った作業者ＩＤ情報とを互いに関連する情報と判断する。
【００５２】
このように構成すれば、ゲート用ＲＦＩＤリーダ３４でＲＦＩＤインレット３１から監視用カセットＩＤ情報を読み取った場合に、記憶部３９が、この監視用カセットＩＤ情報に、監視用カセットＩＤ情報の読み取りに関連してＲＦＩＤインレット５０から読み取った作業者ＩＤ情報を関連付けして記憶するため、持ち出し作業者Ｗを自動的に記憶できる。
【００５３】
また、管理機３６の制御部４０は、現金カセット２４の持ち出し時にゲート用ＲＦＩＤリーダ３４で監視用カセットＩＤ情報を読み取って持ち出しが適正であると判断したときであっても、この監視用カセットＩＤ情報の読み取りに関連してゲート用ＲＦＩＤリーダ３４で作業者ＩＤ情報を読み取れない場合に、持ち出しの最終判断を不適として、警報装置４１に警報を発生させるとともに、ドアロック装置１５でドア１４をロック状態としても良い。
【００５４】
このように構成すれば、ゲート用ＲＦＩＤリーダ３４でＲＦＩＤインレット３１から監視用カセットＩＤ情報を読み取った場合に、管理機３６の制御部４０が、この監視用カセットＩＤ情報の読み取りに関連してゲート用ＲＦＩＤリーダ３４でＲＦＩＤインレット５０の作業者ＩＤ情報を読み取れない場合に、ドアロック装置１５でドア１４をロック状態とするため、持ち出し作業者Ｗが認識できない場合の現金カセット２４の持ち出しを規制できる。
【００５５】
同様に、持ち出し作業者Ｗを他の持ち出し作業者Ｗと識別する作業者ＩＤ情報を記憶したＲＦＩＤインレット５０を設けた作業者ＩＤカード５１を持ち出し作業者Ｗに付帯させる場合に、持ち出す現金カセット２４のＲＦＩＤインレット３１の監視用カセットＩＤ情報の登録用ＲＦＩＤリーダ４２での読み取り入力時に、登録用ＲＦＩＤリーダ４２で持ち出し作業者Ｗの作業者ＩＤ情報をＲＦＩＤインレット５０から読み取るようにしても良い。この場合、管理機３６の制御部４０は、登録用ＲＦＩＤリーダ４２で読み取られた監視用カセットＩＤ情報と、この監視用カセットＩＤ情報の読み取りと関連するように一連の操作で登録用ＲＦＩＤリーダ４２で読み取られた作業者ＩＤ情報とを関連付けして事前登録として記憶部３９に記憶することになる。
【００５６】
そして、管理機３６の制御部４０は、上記のように入力時に関連づけして記憶部３９に事前登録した現金カセット２４の監視用カセットＩＤ情報と持ち出し作業者Ｗの作業者ＩＤ情報とに対し、その後、ゲート用ＲＦＩＤリーダ３４で読み取ったＲＦＩＤインレット３１の監視用カセットＩＤ情報と、監視用カセットＩＤ情報の読み取りに関連してゲート用ＲＦＩＤリーダ３４で読み取ったＲＦＩＤインレット５０の作業者ＩＤ情報との組み合わせが、上記した事前登録した内容と対応しない場合に、持ち出しの最終判断を不適として、警報装置４１に警報を発生させるとともに、ドアロック装置１５でドア１４をロック状態とするようにしても良い。つまり、事前登録された監視用カセットＩＤ情報および作業者ＩＤ情報の組み合わせと、少なくともいずれか一方のＩＤ情報が対応しなければ、持ち出しの最終判断を不適として、警報を発生させるとともにドア１４をロック状態とする。この場合も、制御部４０は、例えばゲート用ＲＦＩＤリーダ３４での監視用カセットＩＤ情報の読み取り時刻と、これと所定の時間差内で初めてゲート用ＲＦＩＤリーダ３４で読み取った作業者ＩＤ情報とを互いに関連する情報と判断する。
【００５７】
このように構成すれば、ゲート用ＲＦＩＤリーダ３４で監視用カセットＩＤ情報を読み取った場合に、この監視用カセットＩＤ情報と、この監視用カセットＩＤ情報の読み取りに関連してゲート用ＲＦＩＤリーダ３４で読み取った作業者ＩＤ情報との組み合わせが事前登録した内容と対応しない場合に、制御部４０が、ドアロック装置１５でドア１４をロック状態とするため、事前登録した内容と対応しない場合の持ち出しを規制できる。
しかも、ゲート用ＲＦＩＤリーダ３４で監視用カセットＩＤ情報を読み取った場合に、この監視用カセットＩＤ情報と、この監視用カセットＩＤ情報の読み取りに関連してゲート用ＲＦＩＤリーダ３４で読み取った作業者ＩＤ情報との組み合わせが事前登録した内容と対応しない場合に、制御部４０が、警報装置４１に警報を発生させるため、警報でも知らせることができる。
【００５８】
管理機３６は、窓口業務開始前の所定のタイミングで、今回のシステム立ち上げ後に持ち出しが記憶部３９に記憶された現金カセット２４を見ることで、準備したすべての現金カセット２４が持ち出されたか否かを判断し、すべての現金カセット２４が持ち出されていない場合には、警報装置４１で警報を発生させて、すべての窓口用の現金処理機２５への現金カセット２４の装填を促すようにしても良い。また、管理機３６は、窓口業務終了後に、今回のシステム立ち上げ後に現金カセット２４の持ち込みを複数のゲート用ＲＦＩＤリーダ３４の読み込みタイミングから監視しており、窓口業務終了後の所定のタイミングで、持ち込みが記憶部３９に記憶された現金カセット２４を見ることで、すべての現金カセット２４が持ち込まれたか否かを判断し、すべての現金カセット２４が持ち込まれていない場合には、警報装置４１で警報を発生させて、すべての窓口用現金処理機２５からの現金カセット２４の回収を促すようにしても良い。
【００５９】
なお、管理者Ｍを認証する手段として、管理者ＩＤカード４７およびカードリーダ３７ｂの組み合わせにかえて、指紋認証、掌認証、その他の生体認証用ユニットを用いても良い。
【図面の簡単な説明】
【００６０】
【図１】本発明の一実施形態の現金カセット監視システムを示すブロック図である。
【図２】本発明の一実施形態の現金カセット監視システムにおけるＲＦＩＤインレットを示すブロック図である。
【図３】本発明の一実施形態の現金カセット監視システムにおける管理機およびその周辺を示すブロック図である。
【符号の説明】
【００６１】
１１  出納室（所定のエリア）
１３  出入口
１４  ドア
１５  ドアロック装置（ドアロック手段）
２４  現金カセット
３１  ＲＦＩＤインレット
３４  ゲート用ＲＦＩＤリーダ
３６  管理機
３７ｂ  カードリーダ（認証手段）
３９  記憶部（記憶手段）
４０  制御部（制御手段）
４１  警報装置（警報手段）
４２  登録用ＲＦＩＤリーダ
５０  ＲＦＩＤインレット
【図１】
2007328696.tif 000003
【図２】
2007328696.tif 000004
【図３】
2007328696.tif 000005